(57)【要約】【課題】第１取付け部材からフィルムにおける開口の周縁部が剥がれるのを抑制したヘッドレストを提供する。【解決手段】ヘッドレスト１は、開口２１ｃが形成されたフィルム２１と、フィルム２１における開口２１ｃの周縁部に、フィルム２１の厚さ方向に対向する位置に配置された第１取付け部材３１と、第１取付け部材３１に装着され、第１取付け部材３１との間に、フィルム２１における開口２１ｃの周縁部を厚さ方向に挟み、支持体１０１に装着可能な固定部４６と、を備える。【選択図】図４
2019209546.tif 000002
【特許請求の範囲】
【請求項１】
開口が形成されたフィルムと、
前記フィルムにおける前記開口の周縁部に、前記フィルムの厚さ方向に対向する位置に配置された第１取付け部材と、
前記第１取付け部材に装着され、前記第１取付け部材との間に、前記フィルムにおける前記開口の周縁部を前記厚さ方向に挟み、支持体に装着可能な固定部と、
を備える発泡成形体。
【請求項２】
前記フィルムにおける前記開口の周縁部と前記第１取付け部材とを固定する固定部材を備えることを特徴とする請求項１に記載の発泡成形体。
【請求項３】
開口が形成されたフィルムと、
前記フィルムにおける前記開口の周縁部に固定された固定部材と、
前記固定部材に固定された第１取付け部材と、
を備える発泡成形体。
【請求項４】
前記固定部材は、水が透過しない材料で形成されていることを特徴とする請求項３に記載の発泡成形体。
【請求項５】
前記第１取付け部材に装着され、前記第１取付け部材との間に、前記フィルムにおける前記開口の周縁部を前記フィルムの厚さ方向に挟み、支持体に装着可能な固定部を備えることを特徴とする請求項３又は４に記載の発泡成形体。
【請求項６】
前記第１取付け部材及び前記固定部をそれぞれ一対備え、
それぞれの前記固定部は、
前記第１取付け部材に装着される第２取付け部材と、
前記第２取付け部材に装着され、前記支持体に装着可能な第３取付け部材と、を有し、
前記第２取付け部材には、前記フィルムに沿って延びるスリットが形成され、
前記第３取付け部材には、前記第２取付け部材における前記スリットの開口周縁部に前記フィルムの厚さ方向に係合する係合部が設けられ、
前記スリットには、前記係合部が挿入可能な幅広部が形成され、
前記一対の幅広部間のピッチは、前記一対のスリットのうち前記幅広部以外のいずれの部分間のピッチとも異なる請求項１、２、及び５のいずれか一項に記載の発泡成形体。
【発明の詳細な説明】
【技術分野】
【０００１】
本発明は、発泡成形体に関する。
【背景技術】
【０００２】
従来、ポリウレタンフォームコアの外面を透明なフィルムで覆い、発泡成形体を構成することが知られている（例えば、特許文献１参照）。このように構成された発泡成形体では、フィルムがポリウレタンフォームコアを保護するため、ポリウレタンフォームコアの表面が傷付きに難く、かつ汚れ難くなる。
【先行技術文献】
【特許文献】
【０００３】
【特許文献１】特開２００６−２２４６１７号公報
【発明の概要】
【発明が解決しようとする課題】
【０００４】
この発泡成形体の構成を用いて、例えば、浴槽（支持体）に装着されるヘッドレストを製造することが検討されている。ヘッドレストを浴槽に装着するために、ヘッドレストは、吸盤等を含む固定部を備えている。ただし、ポリウレタンフォームコアを複数の金型の間で発泡により形成するときには、固定部が支障になる。このため、発泡時にはヘッドレストにおける固定部以外の部分を形成する。この際に、発泡後にヘッドレストに固定部を装着できるように、固定部を装着可能な取付け部材をヘッドレストに埋め込んでおく。そして、発泡によりヘッドレストを製造し、その後で、ヘッドレストの取付け部材に固定部を装着する。
【０００５】
ところで、ヘッドレストの取付け部材に固定部を装着するには、フィルムに開口を形成しておき、この開口に挿入した固定部を取付け部材に装着する必要がある。しかしながら、このように構成すると、取付け部材からフィルムにおける開口の周縁部が剥がれる虞がある。
【０００６】
本発明は、このような問題点に鑑みてなされたものであって、第１取付け部材からフィルムにおける開口の周縁部が剥がれるのを抑制した発泡成形体を提供することを目的とする。
【課題を解決するための手段】
【０００７】
上記課題を解決するために、この発明は以下の手段を提案している。
本発明の発泡成形体は、開口が形成されたフィルムと、前記フィルムにおける前記開口の周縁部に、前記フィルムの厚さ方向に対向する位置に配置された第１取付け部材と、前記第１取付け部材に装着され、前記第１取付け部材との間に、前記フィルムにおける前記開口の周縁部を前記厚さ方向に挟み、支持体に装着可能な固定部と、を備えることを特徴としている。
この発明によれば、第１取付け部材に固定部を装着することにより、フィルムにおける開口の周縁部を第１取付け部材及び固定部によりフィルムの厚さ方向に挟む。従って、第１取付け部材からフィルムにおける開口の周縁部が剥がれるのを抑制することができる。
【０００８】
また、本発明の他の発泡成形体は、開口が形成されたフィルムと、前記フィルムにおける前記開口の周縁部に固定された固定部材と、前記固定部材に固定された第１取付け部材と、を備えることを特徴としている。
この発明によれば、フィルムにおける前記開口の周縁部及び第１取付け部材にそれぞれ固定された固定部材により、第１取付け部材からフィルムにおける開口の周縁部が剥がれるのを抑制することができる。
【０００９】
また、上記の発泡成形体において、前記フィルムにおける前記開口の周縁部と前記第１取付け部材とを固定する固定部材を備えてもよい。
この発明によれば、発泡成形体が固定部に加えて、フィルムにおける前記開口の周縁部及び第１取付け部材にそれぞれ固定された固定部材を備えるため、第１取付け部材からフィルムにおける開口の周縁部が剥がれるのをより確実に抑制することができる。
【００１０】
また、上記の発泡成形体において、前記固定部材は、水が透過しない材料で形成されていてもよい。
この発明によれば、固定部材を通して発泡成形体内に水が浸入するのを抑えることができる。
【００１１】
また、上記の発泡成形体において、前記第１取付け部材に装着され、前記第１取付け部材との間に、前記フィルムにおける前記開口の周縁部を前記フィルムの厚さ方向に挟み、支持体に装着可能な固定部を備えてもよい。
この発明によれば、発泡成形体が固定部材に加えて、第１取付け部材との間にフィルムにおける開口の周縁部をフィルムの厚さ方向に挟む固定部を備えるため、第１取付け部材からフィルムにおける開口の周縁部が剥がれるのをより確実に抑制し、かつ、ヘッドレストを支持体に装着することができる。
【００１２】
また、上記の発泡成形体において、前記第１取付け部材及び前記固定部をそれぞれ一対備え、それぞれの前記固定部は、前記第１取付け部材に装着される第２取付け部材と、前記第２取付け部材に装着され、前記支持体に装着可能な第３取付け部材と、を有し、前記第２取付け部材には、前記フィルムに沿って延びるスリットが形成され、前記第３取付け部材には、前記第２取付け部材における前記スリットの開口周縁部に前記フィルムの厚さ方向に係合する係合部が設けられ、前記スリットには、前記係合部が挿入可能な幅広部が形成され、前記一対の幅広部間のピッチは、前記一対のスリットのうち前記幅広部以外のいずれの部分間のピッチとも異なってもよい。
【００１３】
この発明によれば、第２取付け部材におけるスリットの開口周縁部にフィルムの厚さ方向に係合部が係合することにより第２取付け部材に装着した第３取付け部材は、スリットに対して基準線に沿う方向に移動して大径部を通して係合部が外部に取出されることにより、第２取付け部材から取外される。
第２取付け部材におけるスリットの開口周縁部に係合部を係合させた状態で、ヘッドレストの一対の第３取付け部材を支持体に装着すると、支持体に装着した一対の第３取付け部材間のピッチは変わらない。このとき、一対の幅広部間のピッチは、一対のスリットのうち幅広部以外のいずれの部分間のピッチとも異なるため、一対のスリットの大径部を各第３取付け部材の係合部が同時に通ることは困難となる。従って、一対の第２取付け部材から一対の第３取付け部材を外れ難くすることができる。
【発明の効果】
【００１４】
本発明の発泡成形体によれば、第１取付け部材からフィルムにおける開口の周縁部が剥がれるのを抑制することができる。
【図面の簡単な説明】
【００１５】
【図１】本発明の一実施形態のヘッドレストが装着される浴槽の斜視図である。
【図２】図１中の切断線Ａ１−Ａ１の断面図である。
【図３】同ヘッドレストの底面図である。
【図４】図３中の切断線Ａ２−Ａ２の断面図である。
【図５】図３中の吸盤固定部材周辺の拡大図である。
【発明を実施するための形態】
【００１６】
以下、本発明に係る発泡成形体の一実施形態を、発泡成形体がヘッドレストである場合について、図１から図５を参照しながら説明する。まず、このヘッドレストが装着される浴槽（支持体）について説明する。
図１に示すように、浴槽１０１は、上方が開口する有底角筒状に形成されている。
より詳しく説明すると、浴槽１０１は、底壁部１０２と、一対の第１側壁部１０３と、一対の第２側壁部１０４と、を備えている。
【００１７】
底壁部１０２は、平面視で所定の方向に長い矩形状を呈している。
各第１側壁部１０３は、底壁部１０２の短辺に立設されている。各第１側壁部１０３は、平面視において、上方に向かうに従い底壁部１０２から離間するように傾斜している。
図１及び図２に示すように、各第１側壁部１０３の上端部には、水平面に沿い、かつ、平面視において底壁部１０２から離間する方向に延びる天壁部１０６が設けられている。
図２に示すように、第１側壁部１０３と天壁部１０６との接続部分における浴槽１０１の開口１０１ａ側の面には、開口１０１ａに向かって突出する膨出部１０７が形成されている。膨出部１０７は、底壁部１０２の短辺に沿って延びている。膨出部１０７と第１側壁部１０３との間には、天壁部１０６が延びる方向に向かって凹んだ凹部１０８が形成されている。
図１に示すように、各第２側壁部１０４は、底壁部１０２の長辺に立設されている。
【００１８】
図２から図４に示すように、ヘッドレスト１は、本体部１１と、第１フィルム（フィルム）２１と、第２フィルム２６と、取付け部材（第１取付け部材）３１と、両面テープ（固定部材）４１と、固定部４６と、を備えている。なお、図３では、固定部４６の後述する吸盤４８を示していない。
以下では、底壁部１０２の長辺に沿う方向であって、一対の第１側壁部１０３のうちヘッドレスト１が装着される第１側壁部１０３からヘッドレスト１が装着されない第１側壁部１０３に向かう向きを前方と言う。前方の反対向きを後方と言い、底壁部１０２の短辺に沿う方向を左右方向と言う。
【００１９】
図２に示すように、本体部１１は、天板部１２と、傾斜板部１３と、を備えている。
天板部１２は、厚さ方向が上下方向となるように配置されている。天板部１２は、左右方向に延びている。天板部１２の後端面は、後方に向かうに従い漸次、下方に向かうように傾斜している。
図４に示すように、天板部１２の下面には、上方に向かって凹んだ第１収容部１７が形成されている。天板部１２には、第１収容部１７が、互いに左右方向に間隔を空けて一対形成されている（図３参照）。第１収容部１７の底面における中央部には、上方に向かって凹んだ第２収容部１８が形成されている。
【００２０】
図２に示すように、傾斜板部１３は、天板部１２の前端部から、前方に向かうに従い漸次、下方に向かうように傾斜している。傾斜板部１３の後面の下端部には、後方に向かって突出した凸部１４が形成されている。傾斜板部１３及び凸部１４は、天板部１２の左右方向の全長にわたって左右方向に沿ってそれぞれ延びている。凸部１４は、浴槽１０１の凹部１０８に係合している。
【００２１】
天板部１２の上面及び傾斜板部１３の前面は、互いに滑らかに連なっている。天板部１２の下面における前方の部分、及び傾斜板部１３の後面における凸部１４よりも上方の部分は、互いに滑らかに連なっている。これらの面の滑らかな形状は、浴槽１０１の膨出部１０７の形状に対応している。
傾斜板部１３の後面における凸部１４よりも下方の部分は、前方に向かうに従い漸次、下方に向かうように傾斜している。
図２及び図３に示すように、天板部１２及び傾斜板部１３には、天板部１２の下面、及び傾斜板部１３の後面における凸部１４よりも上方の部分に、溝１６が形成されている。溝１６は、左右方向に直交する所定の面上に形成されている。天板部１２及び傾斜板部１３には、溝１６が複数形成されている。複数の溝１６は、左右方向に互いに間隔を空けて形成されている。
【００２２】
本体部１１を構成する天板部１２、傾斜板部１３、及び凸部１４は、ポリウレタンフォーム等の発泡材料で一体に形成されている。
【００２３】
第１フィルム２１及び第２フィルム２６には、例えば、シルクロン（登録商標、大倉工業株式会社製）が用いられる。シルクロンは、熱可塑性ポリウレタンエラストマー（ＴＰＵ）を押出し成形したフィルムである。
図２に示すように、第１フィルム２１は、主に天板部１２の下面及び傾斜板部１３の後面を覆っている。天板部１２及び傾斜板部１３の溝１６を覆う第１フィルム２１には、溝１６に対応して溝２２が形成されている。
図４に示すように、第１フィルム２１は、第１収容部１７に沿って配置されている。第１フィルム２１において、第１収容部１７の底面の中央部に配置された部分には、開口２１ｃが形成されている。開口２１ｃは、第１フィルム２１を第１フィルム２１の厚さ方向に貫通している。例えば、開口２１ｃは、平面視で左右方向に長い楕円状である。
【００２４】
図２に示すように、第２フィルム２６は、天板部１２の上面及び傾斜板部１３の前面を覆っている。第１フィルム２１と第２フィルム２６とは、例えば平面視におけるヘッドレスト１の外周縁部等で熱融着により接合されている。
【００２５】
図４に示すように、取付け部材３１は、有頂筒状に形成された取付け部本体３２と、取付け部本体３２の開口縁に設けられた鍔部３３と、を備えている。
取付け部本体３２では、天壁部３５の外周縁部から、天壁部３５の全周にわたって側壁部３６が下方に向かって延びている。天壁部３５は、第１フィルム２１の開口２１ｃに対応した、平面視で左右方向に長い楕円状である。側壁部３６は、筒状に形成されている。側壁部３６の内部空間は、取付け部材３１に形成された凹部である第１凹部（第１被係合部）３１ａである。
側壁部３６の内周面（第１凹部３１ａの内面）における上端部には、第２凹部（第２被係合部）３６ａが形成されている。第２凹部３６ａは、側壁部３６の内周面から側壁部３６の径方向外側に向かって凹んでいる。
鍔部３３は、側壁部３６の下端部から側壁部３６の径方向外側に向かって張り出している。鍔部３３は、側壁部３６の全周にわたって形成されている。
【００２６】
取付け部材３１は、本体部１１の第２収容部１８内に配置されている。取付け部材３１の鍔部３３は、第１フィルム２１における開口２１ｃの周縁部に、第１フィルム２１の厚さ方向に対向する位置に配置されている。なお、本明細書では、対向するは、接触する意味を含む。
ヘッドレスト１は、一対の第２収容部１８に対応して、取付け部材３１を一対備えている（一方の取付け部材３１は不図示）。
【００２７】
両面テープ４１は、公知の構成のものである。例えば、両面テープ４１は、基材の両側に粘着層をそれぞれ設けて構成されている。両面テープ４１は、水が透過しない材料で形成されている。
水が透過しない材料としては、例えば基材用として、気泡がほぼ独立であるアクリルフォームが用いられる。水が透過しない材料としては、例えば粘着層用として、アクリル系粘着材が用いられる。
【００２８】
両面テープ４１は、リング状に形成され、図４に示すように第１フィルム２１における開口２１ｃの周縁部と、取付け部材３１の鍔部３３と、の間に配置されている。両面テープ４１は、第１フィルム２１における開口２１ｃの周縁部、及び取付け部材３１の鍔部３３の下面にそれぞれ固定されている。両面テープ４１は、第１フィルム２１と取付け部材３１とを、開口２１ｃの周縁部の全周にわたって固定している。
なお、両面テープ４１は、第１フィルム２１と取付け部材３１とを、開口２１ｃの周縁部の一部のみで固定していてもよい。
【００２９】
両面テープ４１、及び前述の本体部１１及び取付け部材３１は、第１フィルム２１の第１面２１ａ側に配置されている。本体部１１は、取付け部材３１を第１フィルム２１の第１面２１ａ側から覆った状態で第１フィルム２１及び取付け部材３１にそれぞれ固定されている。
【００３０】
図４に示すように、固定部４６は、吸盤固定部材（第２取付け部材）４７と、吸盤（第３取付け部材）４８と、を備えている。
図４及び図５に示すように、吸盤固定部材４７は、支持板５０と、接続部材５１と、を備えている。
支持板５０は、厚さ方向が上下方向となるように配置されている。支持板５０の厚さは、本体部１１の第１収容部１７が天板部１２の下面から上方に向かって凹む長さ以下である。
支持板５０は、本体部１１の第１収容部１７の底面上に配置されている。支持板５０は、天板部１２よりも下方に突出していなく、第１収容部１７内に配置されている。
【００３１】
平面視における支持板５０の中央部には、左右方向に沿って延びるスリット５３が形成されている。スリット５３は、支持板５０を上下方向に貫通している。スリット５３の左右方向の端部には、スリット５３の幅よりも内径が大きい幅広部５４が形成されている。例えば、幅広部５４は、上下方向に沿う軸線を有する円柱状の空間として形成されている。ただし、幅広部５４の形状は円柱状に限定されず、四角柱状等の多角柱状等でもよい。
スリット５３における幅広部５４が形成されていない部分における左右方向の中央部には、スリット５３の幅よりも幅が狭い幅狭部５５が形成されている。
【００３２】
図５に示すように、支持板５０における、スリット５３の幅広部５４とは反対側の端部を前後方向に挟む部分には、支持板５０を上下方向に貫通する水抜き孔５６がそれぞれ形成されている。
接続部材５１は、左右方向が長径となる楕円の筒状に形成されている。接続部材５１は、底面視で、スリット５３、幅広部５４、幅狭部５５、及び一対の水抜き孔５６を囲むように形成されている。図４に示すように、接続部材５１の外径、及び取付け部材３１の側壁部３６の内径は、互いに同程度である。
【００３３】
接続部材５１の外周面の上端部には、接続部材５１の径方向外側に向かって突出する凸部５９が形成されている。凸部５９は、取付け部材３１の第２凹部３６ａに上下方向に係合している。取付け部材３１の第２凹部３６ａに吸盤固定部材４７の凸部５９が係合することにより、取付け部材３１に吸盤固定部材４７が装着される。なお、取付け部材３１の側壁部３６と吸盤固定部材４７の接続部材５１との間には、図示しない接着層が設けられ、側壁部３６と接続部材５１とを固定している。
吸盤固定部材４７の支持板５０、及び取付け部材３１の鍔部３３は、互いの間に第１フィルム２１における開口２１ｃの周縁部を第１フィルム２１の厚さ方向に挟んでいる。第１フィルム２１における開口２１ｃの周縁部での第１フィルム２１の厚さ方向は、上下方向である。
吸盤固定部材４７を構成する支持板５０、接続部材５１、及び凸部５９は、樹脂等の弾性を有する材料で一体に形成されている。
【００３４】
ヘッドレスト１は、一対の取付け部材３１に対応して、吸盤固定部材４７及び吸盤４８を備える固定部４６を一対備えている。図３に示すように、一対の吸盤固定部材４７のスリット５３は、基準線Ｌ上にそれぞれ配置されている。本実施形態では、基準線Ｌに沿う方向は、左右方向である。一対のスリット５３は、基準線Ｌに沿う方向に互いに位置をずらしてそれぞれ配置されている。
各スリット５３には、幅広部５４が形成されている。本実施形態では、一対の幅広部５４は、一対のスリット５３の基準線Ｌに沿う方向の内側の端部にそれぞれ形成されている。すなわち、一対の幅広部５４の一方は、一対のスリット５３のうち右側のスリット５３の左端部に形成されている。一対の幅広部５４の他方は、一対のスリット５３のうち左側のスリット５３の右端部に形成されている。
【００３５】
一対の幅広部５４間のピッチＰ（一対の幅広部５４の中心間の距離）は、一対のスリット５３のうち幅広部５４以外のいずれの部分間のピッチとも異なる。すなわち、一対のスリット５３のうち、一方のスリット５３における幅広部５４以外の部分と、他方のスリット５３における幅広部５４以外の部分とのピッチは、ピッチＰに等しくなることはない。
本実施形態では、ピッチＰは、一対のスリット５３のうち、一方のスリット５３における幅広部５４以外の部分と、他方のスリット５３における幅広部５４以外の部分とのピッチよりも短い。
なお、一対の幅広部５４は、一対のスリット５３の基準線Ｌに沿う方向の外側の端部にそれぞれ形成されていてもよい。
【００３６】
図４に示すように、吸盤４８は、吸着部６２と、基部６３と、縮径部６４と、拡径部（係合部）６５と、を備えている。
吸着部６２は、上方に向かって凸となるドーム状に形成されている。吸着部６２は、浴槽１０１の天壁部１０６等に吸着することにより、天壁部１０６等に装着可能である。
【００３７】
基部６３、縮径部６４、及び拡径部６５は、それぞれ円柱状に形成されている。基部６３及び拡径部６５のそれぞれの外径は、吸盤固定部材４７のスリット５３の幅よりも大きい。縮径部６４の外径及び吸盤固定部材４７のスリット５３の幅は、互いに同等である。吸着部６２、基部６３、縮径部６４、及び拡径部６５は、互いに上下方向に位置をずらして同軸に配置されている。基部６３は、吸着部６２の上面に固定されている。縮径部６４は基部６３の上面に、拡径部６５は縮径部６４の上面にそれぞれ固定されている。
吸盤４８を構成する吸着部６２、基部６３、縮径部６４、及び拡径部６５は、樹脂等の弾性を有する材料で一体に形成されている。
【００３８】
基部６３は、スリット５３よりも下方に配置されている。
縮径部６４は、スリット５３における幅広部５４とは反対側の端部に配置されている。縮径部６４の上下方向の長さ、及び吸盤固定部材４７の支持板５０の厚さは、互いに同程度である。
拡径部６５は、スリット５３よりも上方に配置されている。基部６３及び拡径部６５は、支持板５０におけるスリット５３の開口周縁部に上下方向に係合している。吸盤４８は、吸盤固定部材４７に装着されている。拡径部６５の外径は吸盤固定部材４７の幅広部５４の内径よりも小さく、拡径部６５及び縮径部６４は、幅広部５４に挿入可能である。
【００３９】
以上のように構成されたヘッドレスト１は、例えば、浴槽１０１の凹部１０８にヘッドレスト１の凸部１４に係合させ、浴槽１０１の天壁部１０６に一対の吸盤４８を装着させた状態で使用される。
ヘッドレスト１を使用する中で、取付け部材３１の第１凹部３１ａ内に水が入る場合がある。この水は、吸盤固定部材４７の水抜き孔５６を通してヘッドレスト１の外部に排出される。
また、浴槽１０１の天壁部１０６上に溜まった水は、図２中に矢印Ｂで示すように、第１フィルム２１の溝２２を通して浴槽１０１内に排出される。
【００４０】
以上説明したように、本実施形態のヘッドレスト１によれば、取付け部材３１に固定部４６を装着することにより、第１フィルム２１における開口２１ｃの周縁部を取付け部材３１及び固定部４６により第１フィルム２１の厚さ方向に挟む。従って、取付け部材３１から第１フィルム２１における開口２１ｃの周縁部が剥がれるのを抑制することができる。
また、第１フィルム２１における開口２１ｃの周縁部及び取付け部材３１にそれぞれ固定された両面テープ４１により、取付け部材３１から第１フィルム２１における開口２１ｃの周縁部が剥がれるのを抑制することができる。
【００４１】
ヘッドレスト１が固定部４６に加えて、第１フィルム２１における開口２１ｃの周縁部及び取付け部材３１にそれぞれ固定された両面テープ４１を備えるため、取付け部材３１から第１フィルム２１における開口２１ｃの周縁部が剥がれるのをより確実に抑制することができる。
両面テープ４１は、水が透過しない材料で形成されている。このため、両面テープ４１を通してヘッドレスト１内に水が浸入するのを抑えることができる。
ヘッドレスト１が両面テープ４１に加えて、取付け部材３１との間に第１フィルム２１における開口２１ｃの周縁部を第１フィルム２１の厚さ方向に挟む固定部４６を備えるため、取付け部材３１から第１フィルム２１における開口２１ｃの周縁部が剥がれるのをより確実に抑制し、かつ、ヘッドレスト１を浴槽１０１に装着することができる。
【００４２】
吸盤固定部材４７におけるスリット５３の開口周縁部に上下方向に拡径部６５が係合することにより吸盤固定部材４７に装着した吸盤４８は、スリット５３に対して基準線Ｌに沿う方向に移動して幅広部５４を通して拡径部６５が外部に取出されることにより、吸盤固定部材４７から取外される。
吸盤固定部材４７におけるスリット５３の開口周縁部に拡径部６５を係合させた状態で、ヘッドレスト１の一対の吸盤４８を浴槽１０１に装着すると、浴槽１０１に装着した一対の吸盤４８間のピッチは変わらない。このとき、一対の幅広部５４間のピッチＰは、一対のスリット５３のうち幅広部５４以外のいずれの部分間のピッチとも異なるため、一対のスリット５３の幅広部５４を各吸盤４８の拡径部６５が同時に通ることは困難となる。従って、一対の吸盤固定部材４７から一対の吸盤４８を外れ難くすることができる。
【００４３】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、ヘッドレスト１は、両面テープ４１及び固定部４６のいずれか一方を備えなくてもよい。
両面テープ４１は、水が透過する材料で形成されていてもよい。一対のスリット５３は、準線Ｌ上にそれぞれ配置されていなくてもよい。
ヘッドレスト１が備える取付け部材３１及び固定部４６の数は２つに限定されず、１つでもよいし、３つ以上でもよい。吸盤固定部材４７に幅狭部５５及び一対の水抜き孔５６は、形成されなくてもよい。
【符号の説明】
【００４４】
１    ヘッドレスト
２１  第１フィルム（フィルム）
２１ｃ  開口
３１  第１取付け部材
４１  両面テープ（固定部材）
４６  固定部
４７  吸盤固定部材（第２取付け部材）
４８  吸盤（第３取付け部材）
５３  スリット
５４  幅広部
６５  拡径部（係合部）
１０１  浴槽（支持体）
Ｐ  ピッチ
【図１】
2019209546.tif 000003
【図２】
2019209546.tif 000004
【図３】
2019209546.tif 000005
【図４】
2019209546.tif 000006
【図５】
2019209546.tif 000007